(57)【要約】【課題】組立作業性を損なうことなく、筐体の薄型化や、デザイン性の向上を図ることができる携帯電子機器を提供する。【解決手段】第１ケースと第２ケースとが、互いの内側面同士を対向させた状態で合わせられる筐体と、筐体長手方向に延伸し、第１端部側にて前記第回路基板上の第１コネクタに接続される第２コネクタを有するフレキシブル基板とを備え、フレキシブル基板は、前記第１端部側は前記第２ケースに固定されず、第２端部側が前記第２ケースに固定されており、第１端部と第２端部間には、最短距離を通らないよう屈曲された迂回部を有するよう構成されていることを特徴とする。【選択図】図５
2010232750.tif 000002
【特許請求の範囲】
【請求項１】
第１ケースと第２ケースとが、互いの内側面同士を対向させた状態で重ね合わせられて構成される筐体と、
前記第１ケース側に固定された状態で前記筐体内に配され、当該筐体における長手方向の一端側に第１コネクタが実装される回路基板と、
前記筐体の長手方向に延伸し、第１端部側にて前記第１コネクタに接続される第２コネクタを有し、前記第１端部とは反対の第２端部側にて所定の電子部品に給電を行うフレキシブル基板と、を備え、
前記フレキシブル基板は、
前記第１端部側は前記第２ケースに固定されず、前記第２端部側が前記第２ケースに固定されており、前記第１端部と第２端部間には、最短距離を通らないよう屈曲された迂回部を有する
ことを特徴とする携帯電子機器。
【請求項２】
前記第１コネクタは、前記筐体の短手方向において、中央よりも一方側に寄せて前記回路基板上に配されている
ことを特徴とする請求項１に記載の携帯電子機器。
【請求項３】
前記第１コネクタおよび前記第２コネクタは、前記第１ケースと前記第２ケースとの重ね合わせ方向と一致する方向への押圧により嵌合されて結合される
ことを特徴とする請求項１又は２に記載の携帯電子機器。
【発明の詳細な説明】
【技術分野】
【０００１】
本発明は、携帯電話機などの携帯電子機器に関する。
【背景技術】
【０００２】
携帯電子機器としての携帯電話機において、イルミネーションのために、筐体に光放射窓を設け、筐体の内部に配置されるＬＥＤ（発光部）から発光された光を、光放射窓から放射させる構成が知られている（例えば、下記特許文献１参照）。
【先行技術文献】
【特許文献】
【０００３】
【特許文献１】特開２００８−５９８７３号公報
【発明の概要】
【発明が解決しようとする課題】
【０００４】
しかし、携帯電話機においては、筐体の更なる薄型化や、デザイン性の向上が要求されている。このため、ＬＥＤなどのような筐体内部に配される電子部品への給電構造にも制約が多くなっており、特にその組み立てが容易ではなくなっている。
【０００５】
一例として、折り畳み型携帯電話における表示部側筐体を示す。
【０００６】
図７は、表示部側筐体３の内部構造について、フロントケース３０ａからリアケース３０ｂを分離させた状態を示す分解斜視図である。図８は、フロントケース３０ａからＬＥＤモジュール６を分離させた状態を示す分解斜視図である。
【０００７】
図７および図８に示すように、表示部側筐体３は、フロントケース３０ａとリアケース３０ｂとは、互いの内面が向き合うように配置された状態で組み合わされて構成され、ＬＥＤモジュール６と、導光部材７と、メイン液晶モジュール３４と、回路基板９０と、を備える。また、メイン液晶モジュール３４やＬＥＤモジュール６等に対して制御、給電などは回路基板９０により行なわれるため、回路基板９０およびＬＥＤモジュール６の双方には、コネクタ６２（６２ａ、６２ｂ）が配置される。
【０００８】
図８に示すように、ＬＥＤモジュール６は、表示部側筐体３の内部に配置されるモジュールであり、ＦＰＣ（フレキシブルプリント基板）６１と、コネクタ６２ｂと、ＬＥＤ６３と、を備える。
【０００９】
ＦＰＣ６１は、ＬＥＤ６３を点灯させる電力などを回路基板から伝搬するための基板である。ＦＰＣ６１は、配線部６１ａと、実装部６１ｂとを備える。そして、実装部６１ｂは、コネクタ６２ｂとＬＥＤ６３との間を最短距離で結ぶよう構成されている。
【００１０】
コネクタ６２ｂは、配線部６１ａの端部に設けられる。コネクタ６２は、フロントケース３０ａに設けられたコネクタ６２ａを介して、回路基板に電気的に接続され、回路基板から供給される電力などをＦＰＣ６１に供給する。
【００１１】
また、ＬＥＤ６３，６３は、リアケース３０ｂに設けられた２個の導光部材７および光放射窓３０ｃを介して、筐体の外側に向けて放射するように発光することができる。
【００１２】
このような表示部側筐体３は、コネクタ６２ａと６２ｂとの接続が必要であるため、その組み立てにおいて制約が生じてしまう。すなわち、フロントケース３０ａとリアケース３０ｂとの組み合わせ前にコネクタの接続を行なわなければならないため、ＬＥＤモジュール６をフロントケース３０ａに予め配置しておかなければならない、といったレイアウト上の制約となってしまう。このため、例えばＬＥＤ６３と光放射窓３０ｃとは、フロントケース３０ａとリアケース３０ｂとの組み合わせ時に初めて隣接することとなるため、互いの位置関係の緻密な精度は確保しづらくなってしまう、などのような不都合も生じる。
【００１３】
このように、ＬＥＤ以外でも筐体内部に配される電子部品に対して給電を行うフレキシブルプリント基板を、筐体内部に設ける場合、その組み立てを考慮してレイアウトに制約が生じてしまう。また、このような不都合は、携帯電話機以外の携帯電子機器の場合でも同様に生じ得る。
【００１４】
従って、本発明は、組立作業性を損なうことなく、筐体の薄型化や、デザイン性の向上を図ることができる携帯電子機器を提供することを目的とする。
【課題を解決するための手段】
【００１５】
本発明は、第１ケースと第２ケースとが、互いの内側面同士を対向させた状態で重ね合わせられて構成される筐体と、前記第１ケース側に固定された状態で前記筐体内に配され、当該筐体における長手方向の一端側に第１コネクタが実装される回路基板と、前記筐体の長手方向に延伸し、第１端部側にて前記第１コネクタに接続される第２コネクタを有し、前記第１端部とは反対の第２端部側にて所定の電子部品に給電を行うフレキシブル基板と、を備え、前記フレキシブル基板は、前記第１端部側は前記第２ケースに固定されず、前記第２端部側が前記第２ケースに固定されており、前記第１端部と第２端部間には、最短距離を通らないよう屈曲された迂回部を有することを特徴とする。
【００１６】
また、前記第１コネクタは、前記筐体の短手方向において、中央よりも一方側に寄せて前記回路基板上に配されていることが好ましい。
【００１７】
さらに、前記第１コネクタおよび前記第２コネクタは、前記第１ケースと前記第２ケースとの重ね合わせ方向と一致する方向への押圧により嵌合されて結合されることが好ましい。
【発明の効果】
【００１８】
本発明によれば、組立作業性を損なうことなく、筐体の薄型化や、デザイン性の向上を図ることができる携帯電子機器を提供することを目的とする。
【図面の簡単な説明】
【００１９】
【図１】本発明の一実施形態の携帯電話機１を開状態で示す斜視図である。
【図２】本発明の一実施形態の携帯電話機１を閉状態で示す斜視図である。
【図３】表示部側筐体３におけるリアケース３０ｂを示す分解斜視図である。
【図４】フロントケース３０ａからＬＥＤモジュール８を分離させた状態を示す分解斜視図である。
【図５】フロントケース３０ａとリアケース３０ｂとの組み合わせ状態を示す分解斜視図である。
【図６】表示部側筐体３の完成状態を示す斜視図である。
【図７】本発明を適用しない場合の表示部側筐体３におけるリアケース３０ｂを示す分解斜視図である。
【図８】本発明を適用しない場合の、フロントケース３０ａからＬＥＤモジュール６を分離させた状態を示す分解斜視図である。
【発明を実施するための形態】
【００２０】
以下、本発明の実施形態について、図面を参照しながら説明する。まず、本発明の携帯電子機器の一実施形態である携帯電話機１の基本構造について、図１及び図２を参照しながら説明する。
【００２１】
図１は、本発明の一実施形態の携帯電話機１を開状態で示す斜視図である。図２は、本発明の一実施形態の携帯電話機１を閉状態で示す斜視図である。
【００２２】
図１及び図２に示すように、本実施形態の携帯電話機１は、折り畳み型の携帯電話機１であって、略直方体形状の操作部側筐体２と、略直方体形状の表示部側筐体３と、操作部側筐体２と表示部側筐体３とを連結する連結部４と、を備える。
【００２３】
操作部側筐体２の上端部と表示部側筐体３の下端部とは、連結部４を介して開閉可能（折り畳み可能）に連結される。つまり、連結部４は、表示部側筐体３と操作部側筐体２とを開閉軸を中心に開閉可能に連結する。携帯電話機１は、連結部４を介して連結された操作部側筐体２と表示部側筐体３とが相対的に回転（回動）されることにより、操作部側筐体２と表示部側筐体３とが互いに開いた状態（開状態、図１参照）や、操作部側筐体２と表示部側筐体３とが折り畳まれた状態（閉状態、図２参照）に変形される。
【００２４】
本実施形態の各構成部材の説明においては、携帯電話機１を図２に示す折り畳まれた状態とした場合に、連結部４からその反対側に向かう方向を「長手方向Ｄ１」又は「第１方向Ｄ１」といい、長手方向Ｄ１及び厚み方向Ｄ３と直交する方向を「幅方向Ｄ２」又は「第２方向Ｄ２」という。
【００２５】
まず、操作部側筐体２について説明する。操作部側筐体２は、外郭を形成するフロントケース２１（第１ケース）及びリアケース２２（第２ケース）を備える。フロントケース２１は、操作部側筐体２の前面２ａ側を構成する。操作部側筐体２の前面２ａは、携帯電話機１が折り畳まれた状態で表示部側筐体３と向かい合う面である。リアケース２２は、操作部側筐体２における前面２ａと反対側の面である背面２ｂ側を構成する。
【００２６】
フロントケース２１は、操作部としての操作キー群１１が前面２ａに露出するように構成される。操作キー群１１は、各種設定や電話帳機能やメール機能等の各種機能を作動させるための機能設定操作キー１３と、電話番号の数字やメール等の文字等を入力するためのテンキー等の入力操作キー１４と、各種操作における決定や上下左右方向のスクロール等を行う決定操作キー１５と、を有する。
【００２７】
操作キー群１１を構成する各キーそれぞれには、操作部側筐体２と表示部側筐体３との開閉状態や、起動されているアプリケーションの種類に応じて所定の機能が割り当てられる（キー・アサイン）。携帯電話機１において、操作キー群１１を構成する各キーがユーザにより押圧されることで、各キーに割り当てられている機能に応じた動作が実行される。
【００２８】
操作部側筐体２の前面２ａには、携帯電話機１のユーザが通話時に発した音声が入力される音声入力部１２が配置される。音声入力部１２は、操作部側筐体２の長手方向Ｄ１における連結部４とは反対側の端部（下端部）の近傍に配置される。
【００２９】
操作部側筐体２の側面には、例えば、外部機器（例えば、ホスト装置）とデータの送受信を行うためのインターフェースや、ヘッドホン／マイク端子、着脱可能な外部メモリのインターフェースや、バッテリを充電するための充電端子などが設けられる。
【００３０】
次に、表示部側筐体３について説明する。図１及び図２に示すように、表示部側筐体３は、外郭を形成するフロントケース（第２のケース）３０ａ、カバー部材３３及びリアケース（第１のケース）３０ｂを備える。フロントケース３０ａ及びカバー部材３３は、表示部側筐体３の前面３ａ側を構成する。表示部側筐体３の前面３ａは、携帯電話機１が折り畳まれた状態で操作部側筐体２と向かい合う面である。リアケース３０ｂは、表示部側筐体３における前面３ａと反対側の面である背面３ｂ側を構成する。
【００３１】
表示部側筐体３の内部には、各種情報を表示させるディスプレイモジュールとしてのメイン液晶モジュール３４が配置されている。メイン液晶モジュール３４の一方の面には、表示部としてのメイン表示部３４ａが設けられる。メイン表示部３４ａは、折り畳まれた状態における表示部側筐体３の内側に配置される。メイン表示部３４ａは、全部又は一部が透明なカバー部材３３を介して、表示部側筐体３の前面３ａ側から視認可能となっている。
【００３２】
また、フロントケース３０ａには、通話の相手側における音声を出力する音声出力部３１が配置される。音声出力部３１は、表示部側筐体３の長手方向Ｄ１における連結部４とは反対の端部側に配置される。
【００３３】
メイン液晶モジュール３４は、液晶パネルと、液晶パネルを駆動する駆動回路と、液晶パネルの背面側から光を照射するバックライトとを有する。
【００３４】
続けて、図３から図５を参照しながら、表示部側筐体３の内部構造について更に説明する。図３は、表示部側筐体３について、フロントケース３０ａからリアケース３０ｂを分離させた状態を示す分解斜視図である。図４は、フロントケース３０ａからＬＥＤモジュール８を分離させた状態を示す分解斜視図である。
【００３５】
図３から図５に示すように、表示部側筐体３は、リアケース３０ｂと、ＬＥＤモジュール８と、導光部材７と、フロントケース３０ａと、メイン液晶モジュール３４と、カバー部材３３と、を備える。表示部側筐体３においては、リアケース３０ｂ、ＬＥＤモジュール８、フロントケース３０ａ、メイン液晶モジュール３４及びカバー部材３３が、この順で積層的に配置される。なお、詳述しないが、表示部側筐体３の内部には、メイン液晶モジュール３４やＬＥＤモジュール８等に対して制御、給電などを行う回路基板が配置される。
【００３６】
そして、フロントケース３０ａとリアケース３０ｂとは、互いの内面が向き合うように配置された状態で組み合わされて構成される。詳細には、フロントケース３０ａは、表示部側筐体３の前面３ａにおける、カバー部材３３が配置された領域以外の領域を構成する。リアケース３０ｂは、表示部側筐体３の背面３ｂを構成する。
【００３７】
リアケース３０ｂにおける２個の導光部材７，７に対応する位置には、２個の光放射部としての光放射窓３０ｃ、３０ｃが設けられる。光放射窓３０ｃは、表示部側筐体３の背面３ｂ側における幅方向Ｄ２の外側に離間して配置される。光放射窓３０ｃは、リアケース３０ｂに厚み方向Ｄ３に貫通する貫通孔から形成される。光放射窓３０ｃを介して、表示部側筐体３の外部にリアケース３０ｂ側から光を放射することができる。
【００３８】
図３、図４に示すように、ＬＥＤモジュール８は、表示部側筐体３の内部に配置されるモジュールであり、ＦＰＣ（フレキシブルプリント基板）８１と、コネクタ８２ａと、ＬＥＤ８３と、ＩｒＤＡ（赤外線）通信部８４を備える。
【００３９】
ＦＰＣ８１は、ＬＥＤ８３を点灯させる電力、ＩｒＤＡ通信部８４への通信信号などを回路基板９０から伝搬するための可撓性を有する基板である。ＦＰＣ８１は、配線部８１ａと、実装部８１ｂとを備え、配線部８１ａの途中には、後述する迂回部８１ｃが形成される。
【００４０】
コネクタ８２ａは、配線部８１ａの端部に設けられる。コネクタ８２ａは、フロントケース３０ａに固定される回路基板９０に実装されるコネクタ８２ｂを介して、回路基板９０に電気的に接続され、回路基板から供給される電力などをＦＰＣ８１に供給する。
【００４１】
ＬＥＤ８３，８３は、実装部８１ｂにおけるフロントケース３０ａ側の面に、第２方向Ｄ２に離間して２個実装されている。ＬＥＤ８３は、側面発光タイプのＬＥＤからなり、第２方向Ｄ２の外側に向けて放射するように発光することができる。
【００４２】
ＩｒＤＡ通信部８４は、実装部８１ｂにおけるフロントケース３０ａ側とは反対側の面に実装されている。ＩｒＤＡ通信部８４は、ＦＰＣ８１により供給された信号を、赤外線により他の携帯端末装置に送信するとともに、他の携帯端末装置から受信した赤外線信号から取得した受信信号ＦＰＣ８１を介して操作部側筐体２内のＣＰＵ（図示略）へ伝達することで、データ通信を行う。すなわち、実装部８１ｂには、ＬＥＤ８３やＩｒＤＡ通信部８４といった電子部品が実装されている。
【００４３】
図５に示すように、フロントケース３０ａは、金属製の板金部材５１と、板金部材５１の一部を覆う樹脂部材５２とが、インサート成形により一体的に成形されて構成される。
【００４４】
樹脂部材５２は、主として、フロントケース３０ａの外周部を枠状に形成する。
【００４５】
板金部材５１は、主として、フロントケース３０ａにおける枠状の樹脂部材５２の内側の部分を形成する。フロントケース３０ａにおけるリアケース３０ｂと対向する面及びカバー部材３３と対向する面の大部分は、板金部材５１から形成される。板金部材５１は、フロントケース３０ａとリアケース３０ｂとが組み合わされた状態の表示部側筐体３の内部において、樹脂部材５２から露出している。また、長手方向Ｄ１におけるヒンジ側、メイン液晶モジュール３４脇には回路基板９０が固定されている。
【００４６】
次に、図３から図５を参照しながら、ＦＰＣ８１の構成について詳述する。
【００４７】
配線部８１ａは、基本的に表示部側筐体３の長手方向Ｄ１に延伸された形状を有している。そして、配線部８１ａの途中には、コネクタ８２（８２ａ、８２ｂ）と実装部８１ｂとの間で最短距離を通らないよう屈曲された迂回部分が形成されている。具体的には、配線部８１ａの途中において、コネクタ８２ａから長手方向Ｄ１に延伸した後に短手方向Ｄ２に曲げられ、さらに長手方向Ｄ１に延伸し、再度短手方向Ｄ２に曲げられた上で長手方向へ延伸して実装部８２ｂへと至るという形状を有している。すなわち、配線部８１ａは、略コ字状に湾曲された迂回部８１ｃを有する。
【００４８】
このようなＦＰＣ８１は、実装部８１ｂのリアケース３０ｂ側の面に、両面テープ８５が貼着され、この両面テープ８５にてリアケース３０ａに固定される。つまり、長手方向Ｄ１における電子部品が実装される側の端部はリアケース３０ｂに対して固定端とされ、コネクタ８２ａ側端部は自由端とされている。
【００４９】
また、ＦＰＣ８１をリアケース３０ｂに固定した状態における、コネクタ８２ａの位置的特長を、図３を用いて説明する。
【００５０】
図３における実線Ｙ１は、リアケース３０ｂの短手方向Ｄ２の中心を通る中心線である。この図に示されるように、ＦＰＣ８１をリアケース３０ｂに固定した状態において、コネクタ８２ａは中心線Ｙ１よりも短手方向Ｄ２の一方側（紙面左手前側）に寄せられて配されている。すなわち、短手方向Ｄ２において、中心よりも片側に寄せられている。
【００５１】
そして図５において、実線Ｙ２は、フロントケース３０ａの短手方向Ｄ２の中心を通る中心線である。コネクタ８２ａが接続されるコネクタ８２ｂは、図５において示されるように中心線Ｙ２よりも短手方向Ｄ２の一方側（紙面右奥側）に寄せられて配されている。
【００５２】
次に、図３から図６を参照しながら、表示部側筐体３の組立工程について説明を行う。
【００５３】
図３、図４にて示したようにリアケース３０ｂに対して両面テープ８５でＬＥＤモジュール８の実装部８１ｂを固定した後、図５のように、回路基板９０が固定されたフロントケース３０ａに対して内側面を互いに軸線Ｘを中心に約９０度の状態で保持する。なお、軸線Ｘとは、短手方向Ｄ２における両ケースの端部この状態で、作業者は、ＦＰＣ８１の自由端となっているコネクタ８２ａの実装部分をリアケース３０ｂから引き出す。
【００５４】
ここでＦＰＣ８１は、迂回部８１ｃを有するため、コネクタ８２ａが引き出されても、迂回部８１ｃが引き出し方向に延伸されることで、実装部８１ｂの固定が解除されることなく引き出し許諾可能となる。次に、コネクタ８２ａとコネクタ８２ｂとを厚さ方向Ｄ３にて重ね合わせ、作業者が指の腹などで厚さ方向に押圧して、コネクタ同士を嵌合させる。この外、必要な作業を行なった後に、軸線Ｘを中心に円弧状矢印の示す方向でリアケース３０ｂをフロントケース３０ａに対して倒してゆき、互いの内側面同士を対向させる。その後、加圧して互いのケースを嵌合させ、必要に応じてネジ等で羅合させることにより図６に示されるように表示部側筐体３が完成される。
【００５５】
このようにして、表示部側筐体３が完成される。なお、操作部側筐体２の構成については省略したが、これがヒンジ４にて接続されることとなる。
【００５６】
以上説明したように、本願発明の一例である実施形態によれば、第１ケースと第２ケースとを組み合わせて筐体を構成されるような携帯電子機器においても、ＦＰＣ８１の電子部品が実装される側の端部が第２ケースに固定され、コネクタ側を第１ケース側のコネクタに繋ぐような構成をとる必要があったとしても、第２ケース最短距離を通らないよう屈曲された迂回部分を有することにより、ＦＰＣ８１のコネクタ側をより多く引き出せるようになるため、不都合なくコネクタの嵌合を行うことが出来る。すなわち、コネクタの接続が必要なために、ＦＰＣ８１を第１ケース側に固定しなければならない、という不都合を解消することが出来るため、組み立ての自由度が大きく向上する。また、予め第２ケース側へＦＰＣ８１の電子部品実装部を固定しておくことが出来るため、第２ケースに対する電子部品の固定精度を向上させることが出来る。
【００５７】
さらに、コネクタ８２ａ、８２ｂは、筐体の短手方向において、中央よりも一方側に寄せて配されているため、コネクタを寄せた側の筐体端部を中心軸にして９０度で互いのケースを保持してコネクタを接続する場合には、互いのコネクタ間の距離を最短とすることが出来るため、ＦＰＣ８１のコネクタ部分の引き出し量を最小とすることが出来る。これにより、迂回部８１ｃの迂回量を最小にすることが出来るため、ＦＰＣ８１を無駄に大型化させずに済むため、小型化軽量化に対する悪影響を極力低減することができる。
【００５８】
また、コネクタを寄せた側の筐体端部を中心軸にして９０度で保持することにより、作業者の手を配するスペースを容易に確保でき、しかもフロントケース３０ａ上に手を置いた状態で、リアケース３０ｂを作業者の手の横に配することになるため、作業者の手の上を開放した状態出来る。したがって、コネクタ８２ａ、８２ｂが、フロント、リアケース双方の重ね合わせ方向と一致する方向（すなわち厚さ方向Ｄ３）への押圧により嵌合されるコネクタである場合には、特に確実かつすばやいコネクタ接続作業を行うことが出来る。
【００５９】
以上、本発明の一実施形態について説明したが、本発明は、前述した実施形態に制限されるものではなく、適宜変更が可能である。
【００６０】
例えば、前記実施形態においては、本発明の構成を表示部側筐体３に適用しているが、これに制限されず、操作部側筐体２に適用することもできる。また、電子部品は、ＬＥＤ８３やＩｒＤＡ通信部８４に制限されない。
【００６１】
さらに、本発明の携帯電子機器は、前記実施形態のような折り畳み式ではなく、操作部側筐体と表示部側筐体とを重ね合わせた状態から一方の筐体を一方向にスライドさせるようにしたスライド式の携帯電子機器であってもよい。また、本発明の携帯電子機器は、操作部側筐体２と表示部側筐体３との重ね合せ方向に沿う軸線を中心に一方の筐体を回転させるようにした回転式（ターンタイプ）の携帯電子機器であってもよい。
【００６２】
本発明は、携帯電話機以外の携帯電子機器に適用することができる。携帯電話機以外の携帯電子機器としては、例えば、ＰＨＳ（登録商標：Ｐｅｒｓｏｎａｌ  Ｈａｎｄｙ  ｐｈｏｎｅ  Ｓｙｓｔｅｍ）、デジタルカメラ、ポータブルゲーム機、ポータブルナビゲーション装置、ＰＤＡ（Ｐｅｒｓｏｎａｌ  Ｄｉｇｉｔａｌ  Ａｓｓｉｓｔａｎｔ）、ノートパソコン、操作部を備えるＥＬディスプレイ又は液晶ディスプレイが挙げられる。
【符号の説明】
【００６３】
２  操作部側筐体
３  表示部側筐体（筐体）
７  導光部材
８  ＬＥＤモジュール
８１  ＦＰＣ
８１ａ
８１ｂ
８１ｃ
８２ａ、ｂ  コネクタ
８３  ＬＥＤ（発光部）
８４  ＩｒＤＡ（赤外線）通信部
９０  回路基板
【図１】
2010232750.tif 000003
【図２】
2010232750.tif 000004
【図３】
2010232750.tif 000005
【図４】
2010232750.tif 000006
【図５】
2010232750.tif 000007
【図６】
2010232750.tif 000008
【図７】
2010232750.tif 000009
【図８】
2010232750.tif 000010